(57)【要約】  【課題】    改良効率が頗るよく、しかも地盤改良後における残留沈下を効果的に抑制できる軟弱地盤の改良工法およびその工法を用いた盛土構造物を提供すること。  【解決手段】改良地盤Ａ上面を気密シート１６で被覆して前記改良地盤Ａ中に真空圧を負荷して、前記改良地盤Ａ中に改良地盤周辺部と隔離された減圧領域を造り出すと共に、軟弱地盤Ａ上に盛土１７を施して盛土荷重を負荷することで、軟弱地盤Ａを硬質地盤へと改良する軟弱地盤の改良工法において、前記改良地盤Ａ上面と気密シート１６との間にフロート層１８を設けることを特徴とする。  【選択図】  図１
2005207164.tif 000002
【特許請求の範囲】
【請求項１】
改良する軟弱地盤（以下改良地盤という）上面を気密シートで被覆して前記改良地盤中に真空圧を負荷して、前記改良地盤中に改良地盤周辺部と隔離された減圧領域を造り出すと共に、軟弱地盤上に盛土を施して盛土荷重を付加することで、軟弱地盤を硬質地盤へと改良する軟弱地盤の改良工法において、
前記改良地盤上面と気密シートとの間にフロート層を設けることを特徴とする軟弱地盤の改良工法。
【請求項２】
フロート層を木材、紙材、繊維材料、発泡樹脂材料の中から選ばれるフロート材のいずれか１種、もしくはこれら２種以上の複合材によって構成することを特徴とする請求項１記載の軟弱地盤の改良工法。
【請求項３】
フロート層を間伐材からなるフロート材によって構成することを特徴とする請求項２記載の軟弱地盤の改良工法。
【請求項４】
フロート層を間伐材を用いた筏基礎によって構成することを特徴とする請求項３記載の軟弱地盤の改良工法。
【請求項５】
気密シート上に盛土を施すことを特徴とする請求項１〜４のいずれかに記載の軟弱地盤の改良工法。
【請求項６】
改良地盤上面を気密シートで被覆して前記改良地盤中に真空圧を負荷して、前記改良地盤中に改良地盤周辺部と隔離された減圧領域を造り出すことで、軟弱地盤を硬質地盤へと改良される軟弱地盤上に造成される盛土構造物において、
前記改良地盤上面と気密シートとの間にフロート層が設けられたことを特徴とする盛土構造物。
【請求項７】
フロート層が木材、紙材、繊維材料、発泡樹脂材料の中から選ばれるフロート材のいずれか１種、もしくはこれら２種以上の複合材によって構成されていることを特徴とする請求項６記載の盛土構造物。
【請求項８】
フロート層が間伐材からなるフロート材によって構成されていることを特徴とする請求項７記載の盛土構造物。
【請求項９】
フロート層が間伐材を用いた筏基礎からなることを特徴とする請求項８記載の盛土構造物。
【請求項１０】
気密シート上に盛土を施すことを特徴とする請求項６〜９のいずれかに記載の盛土構造物。
【発明の詳細な説明】
【技術分野】
【０００１】
本発明は、例えば湖沼周囲の埋立造成区域など、地下水位が高く、大きな圧密沈下が予測される軟弱地盤に好適な軟弱地盤の改良工法およびその工法を用いて造成した盛土構造物に関する。詳細には改良効率が頗るよく、しかも地盤改良後における残留沈下を効果的に抑制できる軟弱地盤の改良工法およびその工法を用いて造成した盛土構造物に関する。
【背景技術】
【０００２】
従来、軟弱地盤の改良工法としては、改良する軟弱地盤（以下改良地盤という）上面を気密シートで被覆して前記改良地盤中に真空圧を負荷して、前記改良地盤中に改良地盤周辺部と隔離された減圧領域を造り出すと共に、軟弱地盤上に盛土を施して盛土の圧密載荷重を負荷することで、軟弱地盤を硬質地盤へと改良するようにしたものがある。
【０００３】
具体的には、図４に示すように、改良地盤Ａ中に所定の間隔をおいて鉛直ドレーン材１を打設し、次いで、この各鉛直ドレーン材１上端部に接触するように水平ドレーン２を配置し、次いで、この水平ドレーン材２に真空タンク４を介して真空ポンプ５に繋がる集水管３を接続し、さらに改良地盤Ａ上面を前記鉛直ドレーン材１、水平ドレーン材２及び集水管３とともに気密シート６で被覆する。この後、前記集水管３に真空タンク４を介して接続する真空ポンプ５を稼働させるのである。
【０００４】
これにより、真空ポンプ５からの真空圧は、水平ドレーン材２および鉛直ドレーン材を介して改良地盤Ａへと伝播し、鉛直ドレーン材１を中心にその周囲の地盤を減圧状態の領域（以下減圧領域という）とする。
【０００５】
真空圧は、減圧領域となった鉛直ドレーン材１周りの地盤から、さらに外側周りの地盤へと伝播してゆき、この結果、鉛直ドレーン材１へと向かう地盤加圧（水圧、土圧）が発生する。
【０００６】
この地盤加圧に従って、鉛直ドレーン材１周囲の地盤に含まれる間隙水は鉛直ドレーン材１に向かって吸い出され、鉛直ドレーン材１、水平ドレーン材２及び集水管３を排水経路として排水され、これに伴って鉛直ドレーン材１周囲の地盤のさらに外側周りの地盤も減圧領域となる。
【０００７】
こうして、鉛直ドレーン材１を中心にしてその周囲の地盤に減圧領域が広がり、やがて改良地盤Ａ全域が減圧領域となり、同時に鉛直ドレーン材１を中心にして圧密、強度増加が進行し、改良地盤Ａ全域の圧密、強度増加が行われることになる。
【０００８】
以上の如くして、硬質地盤へと改良がなされる一方で、気密シート６上に盛土７を施すことにより、該盛土７の圧密載荷重によって改良地盤Ａの圧密脱水を行い、前述の圧力差による吸い出しと共働して、改良地盤Ａの圧密沈下が促進されるのである（特許文献１参照）。
【特許文献１】特許第３２７０９６８号掲載公報（請求項１および２、図７参照）
【発明の開示】
【発明が解決しようとする課題】
【０００９】
ところが、湖沼周囲の埋立造成区域など、地下水位が高く、大きな圧密沈下が予測される軟弱地盤においては、上述の改良工法を用いて改良された後においても、改良地盤には気密シート上に施工した盛土の圧密載荷重が付加され続けているため、経時とともに圧密沈下（残留沈下）が進行する。
【００１０】
このため、このような改良地盤上に道路、鉄道、堤防といった盛土構造物を造成した場合には、残留沈下のために道路や堤防の舗装に亀裂が生じたり、構造物の一部が崩壊したりするなど、重大な問題を引き起こす恐れがあった。
【００１１】
本発明は、改良地盤への真空圧の負荷と、盛土の圧密載荷重による圧密脱水とを併用した軟弱地盤の改良工法をさらに改良したものであり、改良効率が頗るよく、しかも地盤改良後における残留沈下を効果的に抑制できる軟弱地盤の改良工法およびその工法を用いた盛土構造物を提供することを目的とするものである。
【課題を解決するための手段】
【００１２】
上記目的を達成するため、請求項１〜５記載の発明は、改良地盤上面を気密シートで被覆して前記改良地盤中に真空圧を負荷して、前記改良地盤中に改良地盤周辺部と隔離された減圧領域を造り出すと共に、軟弱地盤上に盛土を施して盛土荷重を付加することで、軟弱地盤を硬質地盤へと改良する軟弱地盤の改良工法において、前記改良地盤上面と気密シートとの間にフロート層を設けることを特徴とする軟弱地盤の改良工法をその要旨とした。
【００１３】
本発明の改良工法において、改良地盤上面を気密シートで被覆して前記改良地盤中に真空圧を負荷して、前記改良地盤中に改良地盤周辺部と隔離された減圧領域を造り出す方法としては、特に限定されないが、例えば特許第３２７０９６８号掲載公報や特開２００３−５５９５１号公報に記載されている工法が好ましい。
【００１４】
特許第３２７０９６８号掲載公報に記載されている工法は、改良地盤Ａ中に上端部を残して所定の間隔をおいて鉛直ドレーン材を打設することにより、地盤中に鉛直排水壁を造成する工程と、真空ポンプに連結されたネットと繊維シートとからなる水平ドレーンを鉛直ドレーン上端部と接触するように水平状に配置する工程と、地盤上を鉛直ドレーン材上端部および水平ドレーン材とともに気密シートで覆う工程と、真空ポンプを稼働させて地盤上面に真空圧の状態を造り出す工程とからなるものである。
【００１５】
また、特開２００３−５５９５１号公報に示すように、地盤改良に際して、真空圧を負荷することにより、改良地盤中に減圧領域を造り出すことにより、改良地盤内から吸い出された間隙水を前記真空圧の伝播経路とは別の排水経路を通じて排出するようにしてもよい。
【００１６】
具体的には、改良地盤中に所定の間隔をおいて設置した各鉛直ドレーン材に水平ドレーン材を介して繋がる集水管下側の改良地盤内に改良地盤外へと通じる排水タンクを配置して、前記集水管に集水された間隙水を前記排水タンクへと排水するのである。
【００１７】
尚、集水管と排水タンクとはセパレータを介して接続し、このセパレータによって前記集水管内の間隙水を前記排水タンクへと導水するようにしてもよく、排水タンク内には排水ポンプを内蔵させて、前記排水タンク内の間隙水を改良地盤外へと強制的に排出することで、より効率的な排水が可能となる。
【００１８】
改良地盤中に改良地盤周辺部と隔離された減圧領域を造り出すと共に、軟弱地盤上に盛土を施して盛土荷重を負荷する。盛土は気密シート上に施す。これにより、該盛土の圧密載荷重によって改良地盤の圧密脱水が行われ、前述の圧力差による吸い出しと共働して、改良地盤の圧密沈下が促進されることになる。
【００１９】
本発明の改良工法は、上記改良工法における改良地盤上面と気密シートとの間にフロート層を設けることにより特徴づけられている。
【００２０】
図１に示すように、改良地盤Ａ中に所定の間隔をおいて鉛直ドレーン材１１を打設し、この各鉛直ドレーン材１１上端部に接触するように水平ドレーン１２を配置し、次いで、この水平ドレーン材１２に真空タンク１４を介して真空ポンプ１５に繋がる集水管３を接続し、これら鉛直ドレーン材１１、水平ドレーン材１２及び集水管１３の上方にフロート層１８を設け、次いで、改良地盤Ａ上面を前記鉛直ドレーン材１１、水平ドレーン材１２、集水管１３およびフロート層１８とともに気密シート１６で被覆する。この後、気密シート１３上に盛土１７を上積するのである。
【００２１】
改良地盤Ａ上面と気密シート１３との間にフロート層１８を設けると、改良当初の圧密沈下が進行する前段階では、フロート層１８自体が気密シート１３上に上積した盛土１７とともに盛土荷重として改良地盤Ａに作用して、改良地盤Ａの圧密脱水が行われ、上述の真空圧を使用した排水とともに、圧密沈下が効果的に進行するようになる。
【００２２】
改良地盤Ａの圧密沈下が進行し、改良が完成した後においては、真空圧は負荷されず、間隙水が排水されなくなる。しかし、改良された地盤Ａには気密シート１３上に上積した盛土１７の荷重が作用している。このため、地盤Ａの圧密沈下は５年、１０年といった長期間に渡って僅かではあるが進行し続けることになる。
【００２３】
上述したとおり、こうした残留沈下は、改良された地盤上に造成した道路、鉄道、堤防といった盛土構造物に、道路や堤防の舗装に亀裂が発生したり、構造物の一部が崩壊したりするなどの弊害をもたらす。
【００２４】
本発明の改良工法の場合、フロート層１８がこのような弊害の発生を回避できるようになっている。つまり、本発明の改良工法を適用するのに好適な湖沼周囲の埋立造成区域など、地下水位が高く、圧密沈下が大きな地盤の場合、改良直後は、図２に示すように、間隙水の排水によって地下水位は低くなっているが、図３に示すように、経時とともに改良地盤周囲から改良地盤Ａ内に地下水が浸透し、地下水位が上昇する。地下水位の上昇に伴いフロート層１８が水面下に水没すると、フロート層１８に浮力が発生し、盛土荷重を支える力（荷重軽減作用）が生まれる。そして、この荷重軽減作用によって残留沈下の進行は抑制されるようになる。
【００２５】
このような作用効果を奏するフロート層１８は、盛土構造物１９の基礎部分を構成するものでもある。フロート層１８の形状、構造、規模などは任意であり、盛土構造物１９の種類や大きさ、改良地盤の種類により自由に決定することができる。フロート層１８は、木材、紙材、繊維材料、発泡樹脂材料の中から選ばれるフロート材のいずれか１種、もしくはこれら２種以上の複合材によって構成することができる。
【００２６】
具体的には図１〜図３に示すように木材（丸太）を組み立てて筏構造としたり、木材に代えてブロック状に成形した発泡樹脂板や、緩衝材などに使用されていた使用済み発泡樹脂の破砕塊相互を接着したブロック、織物、編物、紙、繊維屑などの繊維材料に発泡樹脂を含浸固化させた繊維入りの発泡樹脂板を用いて、これらを積み重ねて層状としたものなどを挙げることができる。
【００２７】
フロート層１８を構成するフロート材としては、木材（丸太）、中でも間伐材の使用は特に好ましい。周知の如く、間伐材（小径の丸太）は森林の整備の過程で生じるものであるが、該間伐材は通常の建築木材に適さないものが多いため使い途が限られ、その多くは伐採されたまま放置されている。このため、豪雨時には放置された間伐材が流木なって災害を引き起こす原因とのなっていた。また、放置された間伐材は腐食し、これを温床として雑菌や害虫が繁殖し、森林に被害をもたらすという弊害もあった。
【００２８】
このため、間伐により発生する間伐材の有効活用、利用促進が官民一体で図られているが、この間伐材をフロート材として用い、例えば筏基礎として用いることで、伐採されたまま放置された間伐材による被害の多くが解決されることになる。
【００２９】
また、木材、紙材、繊維材料は、水中に漬け置かれることで腐食しにくくなることから、これらを用いてフロート層を構成した場合には、盛土構造物の基礎部分を構成するフロート層の構造が安定に保持されるという利点もある。
【００３０】
請求項６〜１０記載の発明は、改良地盤上面を気密シートで被覆して前記改良地盤中に真空圧を負荷して、前記改良地盤中に改良地盤周辺部と隔離された減圧領域を造り出すことで、軟弱地盤を硬質地盤へと改良される軟弱地盤上に造成される盛土構造物において、前記改良地盤上面と気密シートとの間にフロート層が設けられたことを特徴とする盛土構造物をその要旨としている。
【００３１】
本発明の盛土構造物は、湖沼周囲の埋立造成区域など、地下水位が高く、圧密沈下が大きな軟弱地盤に、上述の請求項１〜５記載の軟弱地盤の改良工法を適用して改良された地盤上に造成された盛土構造物である。本発明の盛土構造物の好ましい具体例としては、道路、鉄道、堤防といった線上の盛土構造物のほか、飛行場、河川の橋脚、湾岸の埋め立て地に建築される高層建築物や宅地などを挙げることができる。
【００３２】
本発明の盛土構造物にあっては、残留沈下の進行抑制効果のほかに、衝撃荷重の緩衝効果を有する。すなわち本発明の盛土構造物の場合、道路や鉄道、堤防上を自動車が通過することにより衝撃荷重が発生する。本発明の盛土構造物の場合、衝撃荷重は、構造物を構成する盛土材を通じて基礎部分のフロート層に伝播するようになっているが、木材などフロート層を構成するフロート材は本来撓み作用を持っており、この撓み作用により、該盛土構造物に発生する衝撃荷重を吸収緩和し、地盤への伝播を遮断できるようになっているのである。
【発明の効果】
【００３３】
本発明の軟弱地盤の改良工法にあっては、改良地盤上面と気密シートとの間にフロート層を設けるようにしたため、改良効率が頗るよく、しかも地盤改良後における残留沈下を効果的に抑制することができる。
【００３４】
また、本発明の軟弱地盤の改良工法を用いてなる盛土構造物にあっては、残留沈下の進行抑制効果のほかに、衝撃荷重の緩衝効果を有し、衝撃荷重の地盤への伝播を遮断できることから、構造物の基礎部分のさらなる安定化が計られ、耐震性に優れる。
【発明を実施するための最良の形態】
【００３５】
以下、図面に示した一実施の形態に従って、本発明をさらに詳しく説明する。本発明の軟弱地盤の改良工法は、改良地盤中に改良地盤周辺部と隔離された減圧領域を造り出すと共に、軟弱地盤上に盛土を施して盛土荷重を付加する方法であり、以下、河川周囲の地下水位が高く、圧密沈下が大きな軟弱地盤を改良し、この地盤上に盛土構造物（堤防道路）を造成する過程を通して説明する。
【００３６】
まず、図１に示すように、鉛直ドレーン材１１を改良地盤Ａ中に所定間隔に打設する。鉛直ドレーン材１１を打設する間隔は、負荷された真空圧による真空圧伝播の可能な範囲が望ましく、具体的には１ｍ程度である。この鉛直ドレーン材１１をマンドレル（図示しない）に内挿した状態で地盤Ａ中に貫入し、鉛直ドレーン材１１を改良地盤Ａ内に残したままマンドレル（図示しない）を引き上げることで打設することができる。
【００３７】
こうして鉛直ドレーン材１１を改良地盤Ａ中に所定の間隔をおいて打設することで、改良地盤Ａ中には所定の間隔をおいて鉛直状の排水柱が造成されることになり、各排水柱間の改良地盤Ａ中に含まれる水及び空気がこの鉛直ドレーン材１１を排水経路として吸い上げられるようになっている。
【００３８】
この鉛直ドレーン材１１には水平ドレーン材１２を接続する。鉛直ドレーン材１１は、その上端部分が改良地盤Ａの上面に突出するように打ち込まれており、この突出部分１１ａに水平ドレーン材１２を接触するように平行状に配置するのである。
【００３９】
この水平ドレーン材１２の所要箇所には集水管１３を接続する。集水管１３は、管周面に多数の孔を設けた有孔管であり、この集水管１３の一端側には真空タンク１４を介して真空ポンプ１５が接続されている。そして、真空ポンプ１５からの真空圧が真空タンク１４を介して集水管１３へと伝達され、さらにはこの集水管１３に繋がる水平ドレーン材１２及び鉛直ドレーン材１１を介して改良地盤Ａへと真空圧が伝播するようになっている。
【００４０】
真空ポンプ１５からの真空圧は、真空タンク１４、集水管１３、水平ドレーン材１２、及び鉛直ドレーン材１１へと伝播し、鉛直ドレーン材１１内を所定の減圧度（０．４気圧以下）とするようになっている。
【００４１】
水平ドレーン材１２に集水管１３を接続した後、改良地盤Ａの上面、鉛直ドレーン材１１上端部、水平ドレーン材１２及び集水管１３の上方位置には、間伐材を用いた筏基礎からなるフロート層１８を組み立て配置する。
【００４２】
次いで、このフロート層１８上面を気密シート１６で被覆して、真空ポンプ１５からの真空圧が確実に改良地盤Ａ上面及び改良地盤内部に伝播するようにした。この後、気密シート１６上に盛土１７を施した。
【００４３】
上記の如く各部材を順に配置して、真空ポンプ１５を稼働させたとき、真空ポンプ１５からの真空圧は、真空タンク１４、集水管１３、水平ドレーン材１２、及び鉛直ドレーン材１１へと伝播し、さらに、鉛直ドレーン材１１周囲の地盤Ａへと伝播して、鉛直ドレーン材１１を中心にその周囲の地盤Ａを減圧状態の領域（以下減圧領域という）とする。
【００４４】
また真空圧は、減圧領域となった鉛直ドレーン材１１周りの地盤Ａから、さらにその周囲の地盤Ａへと伝播してゆき、これにより鉛直ドレーン材１１周りの地盤Ａへと向かう地盤加圧（水圧、土圧）が発生することになる。
【００４５】
この地盤加圧に従って、鉛直ドレーン材１１周囲の地盤Ａに含まれる間隙水が鉛直ドレーン材１１に向かって吸い出され、鉛直ドレーン材１１、水平ドレーン材１２及び集水管１３を通って排水され、これに伴って鉛直ドレーン材１１周囲の地盤Ａの外側も減圧領域となる。
【００４６】
こうして、鉛直ドレーン材１１を中心にしてその周囲の地盤Ａに減圧領域が広がり、やがて改良地盤Ａ全域が減圧領域となり、同時に鉛直ドレーン材１１を中心にして圧密、強度増加が進行し、改良地盤Ａ全域の圧密、強度増加が行われることになる。
【００４７】
また、フロート層１８および気密シート１６上に施工した盛土１７による盛土荷重により地盤Ａの圧密脱水が進み、上述の真空圧による間隙水の排水と相俟って、改良地盤Ａの圧密沈下は効率的に進行することになる。
【００４８】
尚、図１および図２に示すように、この形態では、改良地盤Ａから吸い出された間隙水を真空圧の伝播経路とは別の排水経路を通じて排出するようにしている。すなわち、改良地盤Ａから吸い出された間隙水は、鉛直ドレーン材１１及び水平ドレーン材１２を通じて吸い出された改良地盤Ａからの間隙水は、一旦集水管１３内に入り込む。
【００４９】
図１に示すように、集水管１３下側の改良地盤Ａ内にはセパレータ２０を介して排水タンク２１が接続されている。集水管１３に集水された間隙水は、セパレータ２０により空気と分離されて、集水管１３下側の排水タンク２１に重力に従って流れ込み、ここに貯留される。
【００５０】
排水タンク２１内には排水ポンプ２２が内蔵されており、排水タンク２１内に貯留された水を該排水タンク２１に連結パイプ（図示しない）を介して接続された排水管２３を通じて改良地盤Ａ（装置）外へ強制的に排出するようになっている。尚、排水タンク２１の設置位置は、集水管１３内の水が重力に従って流れ込むように集水管１３の下側であれば何処でもよい。
【００５１】
改良地盤Ａ中の間隙水の排水に伴い、地盤Ａは圧密沈下を生じる。地盤Ａが沈下すると、地表に設置している真空タンク１４と地盤Ａ中に設置している排水タンク２１との間には高低差が生じる。この高低差が１０ｍを越えると、前述の真空圧を利用した排水方法では地盤Ａ中の間隙水を排水できなくなる。というのは１気圧の下での真空揚水力は１０ｍが限界であるからである。このため、地盤Ａの沈下が進めば進むほど、真空揚水力は低くなり、排水効率は低下することになる。
【００５２】
図１に示す排水タンク２１の場合、排水ポンプ２２が内蔵されていて、排水タンク２１内に貯留された水が強制的に排出されるようになっているため、地盤Ａの沈下の進度に関係なく排水が可能であり、地盤深部の改良も効率的、かつ確実に行うことができる。
【００５３】
尚、図面に示す形態では、排水タンク２１内には排水ポンプ２２を内蔵させて、排水タンク２１内に貯留された水を強制的に装置外へ排出されるようにしたが、改良地盤の規模や地盤の種類によっては、排水ポンプ２２を内蔵していない排水タンク２１を用いることもできる。
【００５４】
尚、図面に示す形態では、真空ポンプ１５からの真空圧を鉛直ドレーン材１１内部が０．４気圧以下となるように負荷するようにしたが、これに限らず、改良地盤の軟弱の程度、例えば地盤の含水率などを考慮して適宜決定すればよい。
【００５５】
次いで、図３に示すように、改良された地盤Ａの盛土１７上に覆土２４し、法面工２５および舗装２６を施して堤防道路（盛土構造物１９）の造成が完了する。
【００５６】
このようにして造成された堤防道路（盛土構造物１９）にあっては、地下水位が高く、圧密沈下が大きな軟弱地盤を改良した地盤上に造成されているので、完成後、経時とともに改良地盤周囲から改良地盤Ａ内に地下水が浸透し、地下水位が上昇する。地下水位の上昇に伴い、図３に示すように、フロート層１８が水面下に水没すると、図３中矢印で示すようにフロート層１８に浮力が発生し、盛土荷重を支える力（荷重軽減作用）が生まれる。そして、この荷重軽減作用によって残留沈下の進行は抑制され、堤防道路（盛土構造物１９）は安定な状態に保たれる。
【００５７】
尚、上記実施の形態に示した例は、単なる説明例に過ぎず、例えばフロート層１８の組立て時に該フロート層１８内部に集水管１３を配置するなど、特許請求の範囲の欄に記載された範囲内で自由に変更することができる。
【図面の簡単な説明】
【００５８】
【図１】本発明の改良工法の適用例を示した模式図。
【図２】本発明の改良工法を適用して改良された地盤を示した模式図。
【図３】本発明の盛土構造物を示した模式図。
【図４】従来の改良工法の適用例を示した模式図。
【符号の説明】
【００５９】
１１・・・鉛直ドレーン材
１２・・・水平ドレーン材
１３・・・集水管
１４・・・真空タンク
１５・・・真空ポンプ
１６・・・気密シート
１７・・・盛土
１８・・・フロート層
１９・・・盛土構造物
２０・・・セパレータ
２１・・・排水タンク
２２・・・排水ポンプ
２３・・・排水管
２４・・・覆土
２５・・・法面工
２６・・・舗装
Ａ・・・改良地盤
【図１】
2005207164.tif 000003
【図２】
2005207164.tif 000004
【図３】
2005207164.tif 000005
【図４】
2005207164.tif 000006